(57)【要約】【課題】  通信システム内で中継局を介して複数の通信機間で通信を行う通信機について、他の通信機に関する識別情報の入力を簡易にすることである。【解決手段】    複数の通信機間で中継局を介して互いに通信を行う通信システムに用いられる通信機を以下のように構成する。通信機３０は、他の通信機が送信する信号に含まれる識別情報を受信するための受信部４及びコントローラ７と、受信部４及びコントローラ７により受信した信号を受信データとして記憶するＲＡＭ７ｃと、各種のデータを表示するためのモニタ１８とを備える。そして、コントローラ７が、ＲＡＭ７ｃが記憶した受信データより他の通信機に関する識別情報を抽出する処理を行う。そして、コントローラ７の処理によって抽出された他の通信機に関する識別情報をモニタ１８に表示する。【選択図】  図１
2006186883.tif 000002
【特許請求の範囲】
【請求項１】
複数の通信機間で中継局を介して互いに通信を行う通信システムに用いられる通信機であって、
前記通信システム内の他の通信機間で送受信される該他の通信機に関する識別情報を含んでなる信号を、該信号が送信される周波数帯域に同調して受信する傍受受信手段と、
前記傍受受信手段により受信した信号を受信データとして記憶する受信データ記憶手段と、
前記受信データ記憶手段が記憶した受信データより、前記他の通信機に関する識別情報を抽出する処理を行う識別情報抽出処理手段と、
各種のデータを表示するための表示手段とを備え、
前記識別情報抽出処理手段により抽出された前記他の通信機に関する識別情報を前記表示手段に表示することを特徴とする通信機。
【請求項２】
前記表示手段は、前記他の通信機に関する識別情報として、前記他の通信機のうち信号を送信する送信元の他の通信機を特定する識別情報と、前記他の通信機のうち前記送信元の他の通信機が信号を送信する送信先の他の通信機を特定する識別情報と、前記送信元の他の通信機が属する送信元中継局を特定する識別情報と、前記送信先の他の通信機が属する送信先中継局を特定する識別情報とを表示することを特徴とする、請求項１に記載の通信機。
【請求項３】
前記表示手段は、前記他の通信機に関する識別情報として、前記他の通信機のうち信号を送信する送信元の他の通信機を特定する識別情報と、該送信元の他の通信機が属する中継局を特定する識別情報とを表示することを特徴とする請求項１に記載の通信機。
【請求項４】
前記他の通信機に関する識別情報を記憶するにあたり、
前記他の通信機のうち信号の送信元の他の通信機を特定する識別情報と、前記送信元の他の通信機が属する送信元中継局を特定する識別情報とを一対として記憶することを特徴とする請求項２又は３に記載の通信機。
【請求項５】
前記傍受受信手段は、当該通信機が属する一の中継局を介して互いに通信を行う他の通信機間で送受信される信号を前記一の中継局より受信することを特徴とする請求項１乃至４のいずれか１項に記載の通信機。
【請求項６】
前記傍受受信手段は、前記一の中継局を介して互いに通信を行う他の通信機のいずれかが前記一の中継局に送信した信号を前記他の通信機より受信することを特徴とする請求項５に記載の通信機。
【請求項７】
当該通信機が信号を送信する通信フレームを生成する通信フレーム生成処理手段を備えるとともに、
前記表示手段に表示された他の通信機に関する識別情報より、いずれかの識別情報を選択するための識別情報選択手段を備えており、
前記通信フレーム生成処理手段は、前記識別情報選択手段により選択された他の通信機に関する識別情報を挿入して前記通信フレームを生成することを特徴とする請求項１乃至６のいずれかに記載の通信機。
【請求項８】
複数の通信機間で中継局を介して互いに通信を行う通信システムに用いられる通信機において前記通信システム内の他の通信機に送信する通信フレームを生成する通信フレームの生成方法であって、
前記通信システム内において他の通信機間で送受信される該他の通信機に関する識別情報を含んでなる信号を、該信号が送信される周波数帯域に同調させて受信する傍受受信工程と、
前記傍受受信工程において受信した信号を受信データとして記憶する受信データ記憶工程と、
前記受信データ記憶工程で記憶した受信データより、前記他の通信機に関する識別情報を抽出する識別情報抽出工程と、
前記識別情報抽出工程で得た他の通信機に関する識別情報のうち、いずれか一の他の通信機に関する識別情報を挿入して通信フレームを生成する通信フレーム生成工程とを備え、
前記いずれか一の他の通信機に送信する通信フレームを生成することを特徴とする通信フレームの生成方法。
【発明の詳細な説明】
【技術分野】
【０００１】
本発明は、通信機、及び通信フレームの生成方法に関する。
【背景技術】
【０００２】
無線通信システムには、複数の中継局を介して、通信機間で通信を行うようにされたものがある。例えば、本願出願人の未公開の先行出願である特願２００４−２８９４３１号に記載されたシステムがある。この無線通信システムでは、送信側の通信機と受信側の通信機の各々についての中継局を介して通信が行われる。
【発明の開示】
【発明が解決しようとする課題】
【０００３】
前記無線通信システムでは、通信機を使用するユーザは、送信元である自己の通信機（自局）を特定する識別情報及び送信先である相手方の通信機（相手局）を特定する識別情報に加え、中継局を特定する識別情報も入力しなければならない。
【０００４】
即ち、最初に送信を行う通信機の使用者（ユーザ）は、自局を特定する識別情報、相手局の識別情報、自局が属する中継局の識別情報、及び相手局が属する中継局の識別情報を入力しなければならない。従って、これらの項目についての識別情報を入力することは、煩雑な操作となり、誤入力も生じやすい。
【０００５】
そこで、本発明は、通信を開始する際に入力するべき識別情報の入力を簡易にすることができる通信機、及び通信フレームの生成方法を提供することを目的とする。
【課題を解決するための手段】
【０００６】
上記課題を解決するため、本発明の第１の観点に係る通信機は、  複数の通信機間で中継局を介して互いに通信を行う通信システムに用いられる通信機であって、
前記通信システム内の他の通信機間で送受信される該他の通信機に関する識別情報を含んでなる信号を、該信号が送信される周波数帯域に同調して受信する傍受受信手段と、
前記傍受受信手段により受信した信号を受信データとして記憶する受信データ記憶手段と、
前記受信データ記憶手段が記憶した受信データより、前記他の通信機に関する識別情報を抽出する処理を行う識別情報抽出処理手段と、
各種のデータを表示するための表示手段とを備え、
前記識別情報抽出処理手段により抽出された前記他の通信機に関する識別情報を前記表示手段に表示することを特徴としている。
【０００７】
本発明の通信機によると、その表示手段に、通信システム内の他の通信機に関する識別情報が自動的に表示される。従って、この表示手段による識別情報の表示により、前記他の通信機に関する識別情報の正確な内容を容易に取得できる。
これにより、他の通信機に関する識別情報の入力の誤りを防ぐことができる。これにより、該他の通信機との通信を開始する場合に入力するべき識別情報を少ない入力操作で入力することができ、識別情報の入力を簡易にできる。
【０００８】
また、前記表示手段は、前記他の通信機に関する識別情報として、前記他の通信機のうち信号を送信する送信元の他の通信機を特定する識別情報と、前記他の通信機のうち前記送信元の他の通信機が信号を送信する送信先の他の通信機を特定する識別情報と、前記送信元の他の通信機が属する送信元中継局を特定する識別情報と、前記送信先の他の通信機が属する送信先中継局を特定する識別情報とを表示することができる。
【０００９】
この発明によると、前記送信元の他の通信機及び送信先の他の通信機に関して、他の通信機を特定する識別情報と、他の通信機が属する中継局を特定する識別情報とが表示手段に表示される。これにより、他の通信機を特定する識別情報、及び他の通信機が属する中継局を特定する識別情報を正確に取得することができる。
【００１０】
また、前記表示手段は、前記他の通信機に関する識別情報として、前記他の通信機のうち信号を送信する送信元の他の通信機を特定する識別情報と、該送信元の他の通信機が属する中継局を特定する識別情報とを表示することもできる。
【００１１】
この発明によると、前記送信元の他の通信機を特定する識別情報と、該送信元の他の通信機が属する中継局を特定する識別情報とが表示手段に表示される。これにより、送信元の他の通信機に関する識別情報を正確に取得することができ、該送信元の他の通信機に関する識別情報の入力を簡易にすることができる。
【００１２】
また、前記他の通信機に関する識別情報を記憶するにあたり、
前記他の通信機のうち信号の送信元の他の通信機を特定する識別情報と、前記送信元の他の通信機が属する送信元中継局を特定する識別情報とを一対として記憶することもできる。
【００１３】
この発明によると、前記送信元の他の通信機を特定する識別情報と該送信元の他の通信機が属する中継局とを一対として記憶するので、この送信元の他の通信機との通信を行う場合の、識別情報の処理を容易にすることができる。
【００１４】
また、前記傍受受信手段を、当該通信機が属する一の中継局を介して互いに通信を行う他の通信機間で送受信される信号を前記一の中継局より受信する機能を備える構成とすることができる。
【００１５】
この発明の通信機によると、前記他の通信機間で送受信される信号を前記一の中継局より受信し、一の中継局より受信した信号より前記他の通信機に関する識別情報を取得する。
【００１６】
また、前記傍受受信手段を、前記一の中継局を介して互いに通信を行う他の通信機のいずれかが前記一の中継局に送信した信号を前記他の通信機より受信する機能を備える構成とすることができる。
【００１７】
この発明の通信機によると、前記他の通信機のいずれかが前記一の中継局に送信した信号を直接に受信し、この受信した信号より前記他の通信機に関する識別情報を取得する。
【００１８】
また、当該通信機が信号を送信する通信フレームを生成する通信フレーム生成処理手段を備え、
前記表示手段に表示された他の通信機に関する識別情報より、いずれかの識別情報を選択するための識別情報選択手段をさらに備え、
前記通信フレーム生成処理手段は、前記識別情報選択手段により選択された他の通信機に関する識別情報を挿入して通信フレームを生成することができる。
【００１９】
この発明の通信機によると、前記表示手段に表示された他の通信機に関する識別情報より、いずれかの識別情報を前記識別情報選択手段により選択すると、この選択された他の通信機に関する識別情報が挿入された通信フレームが自動的に生成される。
【００２０】
従って、この発明の通信機により、前記識別情報選択手段により選択した他の通信機と通信を開始するにあたり、該他の通信機に関する識別情報に基づく通信フレームが自動的に生成される。これにより、識別情報の入力が一層簡易にされる。
【００２１】
また、本発明の第２の観点に係る通信フレームの生成方法は、複数の通信機間で中継局を介して互いに通信を行う通信システムに用いられる通信機において前記通信システム内の他の通信機に送信する通信フレームを生成する通信フレームの生成方法であって、
前記通信システム内において他の通信機間で送受信される該他の通信機に関する識別情報を含んでなる信号を、該信号が送信される周波数帯域に同調させて受信する傍受受信工程と、
前記傍受受信工程において受信した信号を受信データとして記憶する受信データ記憶工程と、
前記受信データ記憶工程で記憶した受信データより、前記他の通信機に関する識別情報を抽出する識別情報抽出工程と、
前記識別情報抽出工程で得た他の通信機に関する識別情報のうち、いずれか一の他の通信機に関する識別情報を挿入して通信フレームを生成する通信フレーム生成工程とを備え、
前記いずれか一の他の通信機に送信する通信フレームを生成することを特徴としている。
【００２２】
本発明によると、他の通信機間で送受信される信号を傍受することにより、この傍受した信号に含まれる他の通信機に関する識別情報を取得することができる。そして、この他の通信機間で送受信される信号の傍受により得た前記識別情報より、いずれか一の他の通信機に送信する通信フレームが生成される。これにより、前記通信機が前記一の他の通信機と通信を開始する場合に、一の他の通信機に関する識別情報の入力を簡易にすることができる。
【発明の効果】
【００２３】
本発明によると、通信機が通信システム内で他の通信機と通信を開始する場合に入力するべき他の通信機に関する識別情報を、該他の通信機が送信した信号の傍受により取得する。これにより、他の通信機に関する識別情報の正確な内容を容易に取得できる。これにより、他の通信機に関する識別情報の入力の誤りを防ぐなどにより、識別情報の入力を簡易にできる。
【発明を実施するための最良の形態】
【００２４】
本発明の実施の形態について、図１乃至図７により説明する。図１は、本発明の一実施形態である通信機３０のブロック図である。通信機３０は、信号の送信機能と受信機能を備えて構成される。
【００２５】
通信機３０は、後に説明する通常通信を行う場合の送信機として機能する場合、通信機３０を使用するユーザの通話音に基づく音声信号、及びデータ通信用のデータ信号を通信の相手方となる他の通信機に向かって送信する。
【００２６】
一方、通信機３０は、通常通信を行う場合の受信機として機能する場合、通信の相手方となる他の通信機より送信された通話音に基づく音声信号を受信し、また他の通信機より送信されたデータ通信用のデータ信号を受信する。また、通信機３０は、受信機能に基づき後に説明する通信傍受の機能を実行することもできる。
【００２７】
通信機３０は、図１に示すように、アンテナ１と送受信切替部２と送信部３と受信部４と音声Ａ／Ｄ・Ｄ／Ａ変換部５とインターフェース部６とコントローラ７と操作部１７とモニタ１８と増幅器８とマイク９とスピーカ１０とを備えている。
【００２８】
操作部１７は、通信機３０の動作に関する条件情報を入力するための入力手段にあたる。操作部１７には各種の操作キーが設けられている。即ち、ユーザが、通信機３０の操作部１７の操作キーを操作して動作条件を入力することにより、その入力に基づく動作を通信機３０に行わせることができる。
【００２９】
操作部１７を操作して入力を行うにあたり、入力操作の内容はモニタ１８のモニタ画面１８ａに表示される。これにより、操作部１７を操作して入力しようとする内容をモニタ画面１８ａ上で確認できる。
【００３０】
操作部１７を操作することにより、通信機３０に所定の動作を行わせる動作モードを設定することができる。通信機３０は、動作モードとして、通常通信モード、及び通信傍受モードを備えている。
【００３１】
通常通信モードは、他の通信機との間で通信を確立して互いに信号を送受信する通常通信を行うよう機能させる動作モードである。通常通信モードに設定すると、通信機３０は、通常通信を行うための送信機及び受信機として機能する。
【００３２】
通常通信モードに設定されると、通信機３０は、通常通信の相手方となる他の通信機に音声信号等を送信すべき場合、送信機として機能する。一方、通信機３０は、通常通信の相手方となる他の通信機より送信された音声信号等を受信すべき場合、受信機として機能する。
【００３３】
通信傍受モードは、他の通信機間で送受信される通信信号を傍受すべく通信機３０を機能させる動作モードである。即ち、通信傍受モードは、通信機３０と互いに通信を確立していない他の通信機が発信した信号を受信すべく通信機３０を動作させるモードである。この通信傍受モードは、通信機３０の受信機能に基づく動作モードである。
【００３４】
通信機３０を通信傍受モードに設定すると、通信信号を傍受するための周波数帯域を、モニタ画面１８ａで確認しつつ、操作部１７の操作により入力できるようにされている。
【００３５】
なお、通信機３０を通信傍受モードで動作させることについて、特に通信傍受モードに設定する操作を行わなくとも、この通信傍受モードの動作を行うようにすることができる。即ち、通信傍受モードを、通信機３０のいわゆるデフォルトの動作モードにすることができる。
【００３６】
また、操作部１７を操作することにより、送信元側識別情報及び送信先側識別情報を入力することができる。送信元側識別情報は、通常通信を行う場合における、信号の送信元となる通信機３０に関する識別情報である。送信元側識別情報は、送信元識別情報と送信元中継局識別情報を含んでいる。送信元識別情報は、通信機３０自体を特定する識別情報である。送信元中継局識別情報は、通信機３０が属する中継局を特定する識別情報である。
【００３７】
送信先側識別情報は、通常通信を行う場合における、通信機３０が信号を送信する送信先となる他の通信機に関する識別情報である。送信先側識別情報は、送信先識別情報と送信先中継局識別情報を含んでいる。送信先識別情報は、通信機３０の送信先の他の通信機を特定する識別情報である。送信先中継局識別情報は、通信機３０の送信先の他の通信機が属する中継局を特定する識別情報である。
【００３８】
操作部１７に対する操作の内容は、コントローラ７により検出される。即ち、コントローラ７は、操作された操作キーの種類や、操作キーに対する操作の内容を検出する。そして、操作キーによって入力された内容を判別する。そして、コントローラ７は、操作部１７により入力された内容に応じた動作を行うように、通信機３０を制御する。
【００３９】
また、モニタ１８のモニタ画面１８ａには、ユーザに対する通信機３０の動作状態の報知や、ユーザに対する操作部１７による入力を促すメッセージ等が表示される。また、モニタ画面１８ａには、通信傍受モードで取得した他の通信機に関する識別情報の一覧表示が表示される。
【００４０】
また、モニタ画面１８ａには、図１に図示しない、識別情報選択オペレータが表示される。この識別情報選択オペレータにより、モニタ画面１８ａに表示された他の通信機に関する識別情報の一覧表示より、通信機３０に設定する識別情報を選択することができる。この識別情報選択オペレータについては、後に図７に基づき説明する。
【００４１】
まず、通信機３０が、送信機として機能する場合のブロックについて説明する。通信機３０のユーザによる通話音はマイク９により音声信号に変換され、この音声信号は増幅器８に入力される。増幅器８に入力された音声信号は、増幅器８により増幅された後、音声Ａ／Ｄ・Ｄ／Ａ変換部５に出力される。
【００４２】
音声Ａ／Ｄ・Ｄ／Ａ変換部（音声アナログ／ディジタル・ディジタル／アナログ変換部）５は、音声信号をアナログ信号とディジタル信号間で信号変換を行うアナログ−ディジタル変換機能を備えている。
【００４３】
通信機３０が送信機として機能する場合、音声Ａ／Ｄ・Ｄ／Ａ変換部５は、アナログの音声信号をディジタルの音声信号に変換するディジタル変換機能を有する。
【００４４】
音声Ａ／Ｄ・Ｄ／Ａ変換部５は、増幅器８より入力されたアナログの音声信号をディジタルの音声信号に変換し、ディジタル変換された音声信号を送信部３に出力する。
【００４５】
インターフェース部６に接続される外部入出力端子１２にはデータ通信用のパーソナルコンピュータ（以下、「パソコン」という）１５が接続されており、インターフェース部６には、外部入出力端子１２を介してパソコン１５よりデータ通信用のデータ信号が入力される。インターフェース部６は、入力されたデータ信号を送信部３に出力する。
【００４６】
送信部３は、入力された信号を変調する変調機能を備える。この通信機３０の例では、送信部３が信号を変調する方式として、ＧＭＳＫ（Gaussian filtered Minimum Shift Keying）変調方式が採用される。ＧＭＳＫ変調方式は、ディジタル変調方式の一つであり、２値の入力信号をいったんガウスフィルタと呼ばれるフィルタを通し、その後周波数変調を行うことにより、狭帯域化を図った変調方式である。送信部３は、入力された音声信号及びデータ信号を、このＧＭＳＫ変調方式により変調する処理を行う。
【００４７】
送信部３は、前記変調処理した信号を、送受信切替部２に出力する。送受信切替部２は、通信機３０が送信機として機能する場合、送信部３より入力された信号をアンテナ１に導く回路が形成される。そして、送受信切替部２に入力された信号は、アンテナ１に出力され、アンテナ１より通信機３０の相手方となる他の通信機へ送信される。
【００４８】
コントローラ７は、通信機３０の動作の制御を行う。コントローラ７は、ＣＰＵ（中央処理装置）７ａ、ＲＯＭ（読み出し専用メモリ）７ｂ、ＲＡＭ（読み書き可能メモリ）７ｃを備えて構成される。
【００４９】
コントローラ７が通信機３０の動作を制御するための制御プログラムは、ＲＯＭに格納されている。そして、通信機３０が送信機として用いられる場合、コントローラ７は、通信機３０が送信機として機能するよう制御する。また、インターフェース部６がデータ通信用のデータを送信部３に出力する動作は、コントローラ７の制御の下に行われる。
【００５０】
また、コントローラ７のＲＡＭ７ｃには、識別情報記憶領域が展開されている。この識別情報記憶領域には、通信機３０に関する識別情報や、他の通信機に関する識別情報が記憶される。操作部１７の操作により送信元側識別情報及び送信先側識別情報が入力されると、入力された送信元側識別情報及び送信先側識別情報は、ＲＡＭ７ｃの識別情報記憶領域に記憶される。
【００５１】
コントローラ７が、通信機３０が送信する通信フレームＦを生成する処理を行う場合、前記識別情報記憶領域に記憶される識別情報のデータを参照する。そして、コントローラ７は、前記識別情報のデータの参照により、通信機３０に関する識別情報や他の通信機に関する識別情報を通信フレームＦのヘッダ部Ｈに挿入する。
【００５２】
なお、コントローラ７が通信フレーム生成時に参照する識別情報のデータは、ＲＡＭ７ｃの識別情報記憶領域のうち、通信フレーム生成用識別情報記憶領域に記憶される。操作部１７の操作により入力された前記送信元側識別情報及び送信先側識別情報は、この通信フレーム生成用識別情報記憶領域に格納される。
【００５３】
また、コントローラ７には、例えばＵＳＢ（Universal Serial Bus（ユニバーサルシリアルバス））インターフェースが接続されており、ＵＳＢインターフェースに接続される外部機器のデータがコントローラ７に入力される。ＵＳＢインターフェースに外部機器としてパソコンを接続し、このパソコンにより通信機３０を制御することもできる。
【００５４】
ここで、通信機３０が送信する信号の通信フレームＦについて、図２も参酌しつつ説明する。図２は、通信機３０が送信する信号の通信フレームＦの構成の概略を示している。
【００５５】
図２に示すように、通信フレームＦは、先頭のヘッダ部Ｈとこれに続くデータ部Ｄから構成される。ヘッダ部Ｈは、通常通信を行う場合に、相手方となる他の通信機と接続するために使用される部分であり、他の通信機との通信を確立するための情報信号を含んでいる。
【００５６】
ヘッダ部Ｈに含まれるビット同期は、入力信号の同期を取るためのビット同期信号である。ヘッダ部Ｈに含まれるフレーム同期は、これより信号であることを表すフレーム同期信号である。
【００５７】
ヘッダ部Ｈに含まれる識別情報（ＩＤ）部は、送信元となる通信機３０に関する識別情報である送信元側識別情報のデータ、送信先となる他の通信機に関する識別情報である送信先側識別情報のデータが挿入される。
【００５８】
図２に示される送信先中継局ＩＤは、送信先となる他の通信機が属する中継局を特定するための送信先中継局識別情報である。図２に示される送信元中継局ＩＤは、送信元となる通信機３０が属する中継局を特定するための送信元中継局識別情報である。
【００５９】
また、送信先（相手局）ＩＤは、送信先となる他の通信機を特定するための送信先識別情報である。送信元（自局）ＩＤは、送信元となる通信機３０を特定するための送信元識別情報である。この送信元ＩＤは、送信元側識別情報の一部である。Ｐ_ＦＣＳは、ヘッダ部Ｈが有効かどうかのフレームチェックシーケンスを表す。
【００６０】
データ部Ｄは、音声フレームとデータフレームとが交互に繰り返されて構成されている。音声フレームは、音声通信用の音声信号が挿入されるフレームであり、音声Ａ／Ｄ・Ｄ／Ａ変換部５より入力された音声データが挿入される。データフレームは、データ通信用のデータ信号が挿入されるフレームであり、インターフェース部６より入力されたデータが挿入される。
【００６１】
以上に説明した通信フレームＦのうち、ヘッダ部Ｈを構成するデータ又は信号は、コントローラ７より送信部３に出力される。また、データ部Ｄを構成するデータ又は信号は、コントローラ７の制御の下、音声Ａ／Ｄ・Ｄ／Ａ変換部５又はインターフェース部６より送信部３に出力される。
【００６２】
次に、通信機３０が受信機として機能する場合のブロックについて説明する。
通信機３０の受信機能に基づき、通信機３０を通常通信モードの受信機として機能させることができ、通信傍受モードの動作を行わせることができる。
【００６３】
通信機３０が受信機として機能する場合で、他の通信機が発信した信号を受信する場合、通信機３０が受信する信号は図２により説明した通信フレームＦを構成している。
【００６４】
アンテナ１は、無線信号を受信する。アンテナ１が受信した無線信号は、送受信切替部２に入力される。送受信切替部２は、通信機３０が受信機として機能する場合、アンテナ１が受信した信号を受信部４に導く回路が形成される。
【００６５】
受信部４は、特定の通信チャンネルの信号を選択して受信するチューニング機能を備えている。受信部４には、受信する無線信号の周波数帯域が設定される。
そして、受信部４に設定された周波数のチャンネルの受信信号がアンテナ１より送受信切替部２を通って受信部４に入力される。
【００６６】
受信部４への周波数帯域の設定は、コントローラ７の制御に基づき行われる。受信部４には、以下のように受信信号の周波数帯域が設定される。通信機３０が通常通信モードに設定された場合、相手方の通信機より送信される音声信号等を含む通信信号を受信するための周波数帯域が設定される。
【００６７】
また、通信機３０が通信傍受モードに設定された場合、通信機３０以外の他の通信機間で送受信される通信信号を受信するための周波数帯域が設定される。通信傍受モードとされた場合の受信部４への周波数帯域の設定は、いわゆるダウンリンク信号を受信して通信を傍受する場合の設定と、いわゆるアップリンク信号を受信して通信を傍受する場合の設定がある。
【００６８】
通信機３０が他の通信機間の通信を傍受するにあたり、ダウンリンク信号を受信する場合、即ち通信機３０が属する中継局が送信する信号を受信する場合、この中継局が信号を送信する周波数帯域が受信部４に設定される。一方、アップリンク信号を受信する場合、即ち他の通信機がその属する中継局に送信する信号を受信する場合、この他の通信機が中継局に向けて信号を送信する周波数帯域が受信部４に設定される。
【００６９】
通信傍受を行うための周波数帯域の受信部４への設定は、以下のように処理される。操作部１７より入力された通信傍受のための周波数帯域のデータが、コントローラ７のＲＡＭ７ｃに入力される。そして、コントローラ７の制御に基づき、ＲＡＭ７ｃに記憶された周波数帯域のデータが受信部４に設定される。
【００７０】
また、受信部４は、入力された受信信号を復調する復調機能を備えている。この通信機３０の例では、受信部４は、ＧＭＳＫ復調を行う。受信部４が復調した受信信号の通信フレームＦに含まれるヘッダ部Ｈのデータはコントローラ７に入力される。
【００７１】
コントローラ７は、通常通信モードにおいて、他の通信機との通話やデータ通信などを行う場合、ヘッダ部Ｈの情報により受信信号が他の通信機より通信機３０宛てに送信されたか否か判断する。コントローラ７は、受信信号が通信機３０宛てに送信されたと判断しなかった場合、ヘッダ部Ｈのデータを廃棄する。一方、コントローラ７は、受信信号が通信機３０宛てに送信されたと判断した場合、受信した通信フレームＦを順次処理するよう制御を行う。
【００７２】
そして、受信信号のデータ部Ｄに含まれるデータのうち、音声フレームに含まれる音声データは音声Ａ／Ｄ・Ｄ／Ａ変換部５に入力され、データフレームに含まれるデータ通信用のデータは、インターフェース部６に入力される。
【００７３】
インターフェース部６に入力されたデータ通信用のデータは、コントローラ７の制御の下、インターフェース部６により処理され、外部入出力端子１２に出力される。この外部入出力端子１２に入力されたデータ通信用のデータは、外部入出力端子１２よりパソコン１５に出力される。
【００７４】
音声Ａ／Ｄ・Ｄ／Ａ変換部（音声アナログ／ディジタル・ディジタル／アナログ変換部）５は、音声信号をアナログ信号とディジタル信号間で信号変換を行うアナログ−ディジタル変換機能を備えている。通信機３０が受信機として機能する場合、音声Ａ／Ｄ・Ｄ／Ａ変換部５は、ディジタルの音声信号をアナログの音声信号に変換するアナログ変換機能を有する。
【００７５】
そして、音声Ａ／Ｄ・Ｄ／Ａ変換部５は、ディジタルの音声信号が受信部４より入力されると、コントローラ７の制御の下、入力されたディジタルの音声信号をアナログの音声信号に変換する。
【００７６】
音声Ａ／Ｄ・Ｄ／Ａ変換部５によりアナログ信号とされた音声信号は、増幅器８に入力される。増幅器８は、入力された音声信号を増幅し、スピーカ１０に出力する。スピーカ１０は、入力された音声信号に基づき、相手方の他の通信機のユーザの通話音を出力する。
【００７７】
また、コントローラ７は、通信機３０が通信傍受モードで動作している場合、他の通信機間で送受信される信号を受信し、この信号が受信部４に入力されると、この受信信号を受信部４よりコントローラ７のＲＡＭ７ｃに出力するよう制御する。
【００７８】
コントローラ７は、前述のごとくＣＰＵ７ａ、ＲＯＭ７ｂ、及びＲＡＭ７ｃを備えている。そして、コントローラ７が通信機３０を受信機として機能させる制御を行う制御プログラムは、ＲＯＭ７ｂに格納されている。ＲＯＭ７ｂには、通信機３０を通常通信モードの受信機として動作させる制御プログラムや、通信機３０に通信傍受モードの動作を行わせる制御プログラムが格納されている。
【００７９】
また、コントローラ７のＲＡＭ７ｃには、傍受信号記憶領域が展開されている。この傍受信号記憶領域には、通信傍受モードで受信した他の通信機が送信した信号に基づく受信データが格納される。他の通信機が発信した信号を傍受し、この信号が受信部４に入力されると、この受信信号に基づく受信データが受信部４よりＲＡＭ７ｃの傍受信号記憶領域に格納される。
【００８０】
コントローラ７は、ＲＡＭ７ｃの傍受信号記憶領域に受信データが格納されると、この受信データに含まれる他の通信機に関する識別情報を抽出する処理を行う。
【００８１】
そして、コントローラ７は、他の通信機に関する識別情報を抽出する処理を行うと、この抽出した識別情報をＲＡＭ７ｃの識別情報記憶領域に記憶するとともに、識別情報の一覧をモニタ１８のモニタ画面１８ａに表示する処理を行う。他の通信機に関する識別情報を前記識別情報記憶領域に記憶するにあたり、通信機を特定する識別情報と、この通信機が属する中継局を特定する識別情報とを一対として記憶する。
【００８２】
そして、コントローラ７は、モニタ画面１８ａに表示される識別情報の一覧表示より、ユーザによる識別情報の選択が行われると、選択された識別情報をＲＡＭ７ｃの通信フレーム生成用識別情報記憶領域に記憶する処理を行う。
【００８３】
次に、以上に説明した通信機３０が他の通信機と通信を行う無線通信システムについて、図３により説明する。図３は、通信機３０を含む無線通信システムＣＳの構成の概略を示す。
【００８４】
図３に示す無線通信システムＣＳは、通信機として、通信機３０、及び通信機３０以外の複数の他の通信機を含んでいる。無線通信システムＣＳは、他の通信機として、第一の他の通信機３１、第二の他の通信機３２、第三の他の通信機３３、及び第四の他の通信機３４を含んでいる。また、無線通信システムＣＳは、中継局として、第一中継局ＲＳ１、第二中継局ＲＳ２、及び第三中継局ＲＳ３を含んでいる。
【００８５】
他の通信機３１乃至３４は、通信傍受モードが設けられず通信傍受の機能を有さないことを除き、通信機３０と同様に構成され、同様の機能を有しており、通常通信を行う場合の送信機及び受信機として機能する。なお、他の通信機３１乃至３４は、通信傍受モードを備えるものであってもよい。
【００８６】
図３に示すように、通信機３０、第一の他の通信機３１、及び第二の他の通信機３２の各々は、第一中継局ＲＳ１に属しており、第一中継局ＲＳ１を介して自身以外の通信機と通信を行う。
【００８７】
また、図３に示すように、第三の他の通信機３３は、第二中継局ＲＳ２に属しており、第二中継局ＲＳ２を介して自身以外の通信機と通信を行う。第四の他の通信機３４は、第三中継局３３に属しており、第三中継局ＲＳ３を介して自身以外の通信機と通信を行う。
【００８８】
第一中継局ＲＳ１、第二中継局ＲＳ２、及び第三中継局ＲＳ３は中継局ネットワークＲＳＮを構成しており、これらの中継局間で信号の送受信が行われる。
【００８９】
例えば、通信機３０が第一の他の通信機３１宛てに送信した信号は、図３のＴ１に示すように、第一中継局ＲＳ１に送信される。そして、通信機３０が送信した信号は、第一中継局ＲＳ１より第一の他の通信機３１へ送信される。
【００９０】
また、通信機３０が第三の他の通信機３３宛てに送信した信号は、図３のＴ１に示すように第一中継局ＲＳ１に送信される。そして、通信機３０が送信した信号は、第一中継局ＲＳ１より第二中継局ＲＳ２に送信され、第二中継局ＲＳ２より第三の他の通信機３３に送信される。
【００９１】
また、第三の他の通信機３３が通信機３０宛てに送信した信号は、第二中継局ＲＳ２に送信される。そして、第三の他の通信機３３が送信した信号は、第二中継局ＲＳ２より第一中継局ＲＳ１へ送信され、図３のＴ２に示すように、第一中継局ＲＳ１より通信機３０に送信される。
【００９２】
また、図３に示すように、通信機３０には、ＩＤ（識別情報）として「ＺＺＺ」が割り当てられている。第一の他の通信機３１には、ＩＤとして「ＤＤＤ」が割り当てられている。第二の他の通信機３２には、ＩＤとして「ＣＣＣ」が割り当てられている。第三の他の通信機３３には、ＩＤとして「ＢＢＢ」が割り当てられている。第四の他の通信機３４には、ＩＤとして「ＡＡＡ」が割り当てられている。
【００９３】
また、第一中継局ＲＳ１には、ＩＤとして「ｄｄｄ」が割り当てられている。第二中継局ＲＳ２には、ＩＤとして「ｂｂｂ」が割り当てられている。第三中継局ＲＳ３には、ＩＤとして「ａａａ」が割り当てられている。
【００９４】
この無線通信システムＣＳにおいて、例えば、第一中継局ＲＳ１が、第一中継局ＲＳ１に属する通信機３０、３１又は３２に向かって送信した信号を通信機３０が受信する場合、通信機３０はダウンリンク信号を受信することとなる。一方、例えば、第一の他の通信機３１が第一中継局ＲＳ１に向かって送信した信号を通信機３０が直接受信する場合、通信機３０はアップリンク信号を受信することとなる。
【００９５】
次に、以上に説明した通信機３０が、以上に説明した無線通信システムＣＳにおいて他の通信機間で送受信される信号を傍受する動作について、図４乃至図７に基づいて説明する。
【００９６】
図４は、無線通信システムＣＳの構成を示す図である。図４には、他の通信機の各々が送信する信号が示されている。図４に示すように、通信システムＣＳは、通信機３０、第一の他の通信機３１、第二の他の通信機３２、第三の他の通信機３３、第四の他の通信機３４、第一中継局ＲＳ１、第二中継局ＲＳ２、及び第三中継局ＲＳ３を備えて構成される。
【００９７】
通信機３０、第一の他の通信機３１、及び第二の他の通信機３２は第一中継局ＲＳ１に属する。第三の他の通信機３３は、第二中継局ＲＳ２に属する。第四の他の通信機３４は、第三中継局ＲＳ３に属する。
【００９８】
図４に示すように、第四の他の通信機３４は、第二の他の通信機３２に向かって信号Ｊ１を送信している。第三の他の通信機３３は、第一の他の通信機３１に向かって信号Ｊ２を送信している。また、第一の他の通信機３１は、第三の他の通信機３３に向かって信号Ｊ３を送信している。
【００９９】
図４に示すように、第四の他の通信機３４が第二の他の通信機３２宛てに送信した信号Ｊ１は、第三中継局ＲＳ３及び第一中継局ＲＳ１により中継され、第二の他の通信機３２に送信される。
【０１００】
また、図４に示すように、第三の他の通信機３３が第一の他の通信機３１宛てに送信した信号Ｊ２は、第二中継局ＲＳ２及び第一中継局ＲＳ１により中継され、第一の他の通信機３１に送信される。第一の他の通信機３１が第三の他の通信機３３宛てに送信した信号Ｊ３は、第一中継局ＲＳ１及び第二中継局ＲＳ２により中継され、第三の他の通信機３３に送信される。
【０１０１】
図５は、図４に示す他の通信機が送信する信号の通信フレームを示す図である。図５（ａ）は信号Ｊ１の通信フレームを示し、図５（ｂ）は信号Ｊ２の通信フレームを示し、図５（ｃ）は信号Ｊ３の通信フレームを示している。
【０１０２】
図５（ａ）、図５（ｂ）、図５（ｃ）に示すように、信号Ｊ１、Ｊ２、及びＪ３の各々は、ヘッダ部とデータ部を備えて構成される。そして、ヘッダ部は、識別情報（ＩＤ）部を備えている。なお、図５（ａ）、図５（ｂ）、図５（ｃ）において、ヘッダ部に挿入されるデータとして識別情報のみを示しており、その他のヘッダ部に挿入されるデータについては表示を省略している。
【０１０３】
図５（ａ）に示すように、信号Ｊ１の通信フレームの識別情報（ＩＤ）部には、送信元である第四の他の通信機３４を特定する識別情報「ＡＡＡ」と、通信機３４が属する送信元中継局である第三中継局ＲＳ３を特定する識別情報「ａａａ」と、送信先である第二の他の通信機３２を特定する識別情報「ＣＣＣ」と、通信機３２が属する送信先中継局である第一中継局ＲＳ１を特定する識別情報「ｄｄｄ」とが挿入されている。
【０１０４】
また、図５（ｂ）に示すように、信号Ｊ２の通信フレームの識別情報（ＩＤ）部には、送信元である第三の他の通信機３３を特定する識別情報「ＢＢＢ」と、通信機３３が属する送信元中継局である第二中継局ＲＳ２を特定する識別情報「ｂｂｂ」と、送信先である第一の他の通信機３１を特定する識別情報「ＤＤＤ」と、通信機３１が属する送信先中継局である第一中継局ＲＳ１を特定する識別情報「ｄｄｄ」とが挿入されている。
【０１０５】
また、図５（ｃ）に示すように、信号Ｊ３の通信フレームの識別情報（ＩＤ）部には、送信元である第一の他の通信機３１を特定する識別情報「ＤＤＤ」と、通信機３１が属する送信元中継局である第一中継局ＲＳ１を特定する識別情報「ｄｄｄ」と、送信先である第三の他の通信機３３を特定する識別情報「ＢＢＢ」と、通信機３３が属する送信先中継局である第二中継局ＲＳ２を特定する識別情報「ｂｂｂ」とが挿入されている。
【０１０６】
このように、無線通信システムＣＳ内で、信号Ｊ１、Ｊ２、Ｊ３が送信されている状態で、通信機３０を動作させる。そして、操作部１７の所定の操作により通信機３０を通信傍受モードで動作させる。これにより、図６にフローチャートを示す識別情報取得処理を開始する。
【０１０７】
そして、コントローラ７は、ユーザの操作による通信傍受を行うための周波数が入力されたことを検出すると（ステップＳ１１、ＹＥＳ）、この入力された周波数をメモリ（ＲＡＭ７ｃ）に格納するとともに、受信部４に設定する（ステップＳ１２）。
【０１０８】
次に、コントローラ７は、他の通信機３１、３３、３４が送信する信号Ｊ１、Ｊ２、Ｊ３を受信部４が受信したことを検出すると（ステップＳ１３、ＹＥＳ）、メモリ（ＲＡＭ７ｃの傍受信号記憶領域）に受信データを記憶する（ステップＳ１４）。
【０１０９】
次に、コントローラ７は、ステップＳ１４でメモリに記憶した受信データより、他の通信機に関する識別情報を抽出する処理を行う（ステップＳ１５）。そして、ステップＳ１５の抽出処理により得た他の通信機３１乃至３４に関する識別情報の一覧をモニタ画面１８ａに表示する処理を行う（ステップＳ１６）。また、抽出した他の通信機に関する識別情報を、ＲＡＭ７ｃの識別情報記憶領域に記憶する。
【０１１０】
図７は、ステップＳ１６においてモニタ画面１８ａに表示される、他の通信機３１乃至３４に関する識別情報の一覧表示を示す。モニタ画面１８ａの第一表示エリア１８ｂには、信号Ｊ１に挿入された識別情報が表示される。モニタ画面１８ａの第二表示エリア１８ｃには、信号Ｊ２に挿入された識別情報が表示される。モニタ画面１８ａの第三表示エリア１８ｄには、信号Ｊ３に挿入された識別情報が表示される。
【０１１１】
また、図７は、識別情報選択オペレータ１８ｇがモニタ画面１８ａに表示された状態を示している。図７の例では、識別情報選択オペレータ１８ｇは第二表示エリア１８ｃを指しており、この第二表示エリア１８ｃに表示される識別情報が選択される。
【０１１２】
そして、コントローラ７は、識別情報選択オペレータ１８ｇの操作により行われた、第二表示エリア１８ｃに表示される識別情報を選択する入力を受け付ける処理を行う（ステップＳ１７）。
【０１１３】
そして、コントローラ７は、一覧表示より選択された、第二表示エリア１８ｃに表示された他の通信機３３、３１に関する識別情報をメモリ（ＲＡＭ７ｃの通信フレーム生成用識別情報記憶領域）に格納する処理を行う（ステップＳ１８）。そして、識別情報取得処理を終了する。
【０１１４】
以上のステップＳ１８において、他の通信機３３に関する識別情報を記憶するにあたり、他の通信機３３の識別情報「ＢＢＢ」と他の通信機３３が属する第二中継局ＲＳ２の識別情報「ｂｂｂ」とを一対として記憶することができる。また、以上のステップＳ１８において、他の通信機３１に関する識別情報を記憶するにあたり、他の通信機３１の識別情報「ＤＤＤ」と他の通信機３１が属する第一中継局ＲＳ１の識別情報「ｄｄｄ」とを一対として記憶することができる。
【０１１５】
以上に説明した識別情報取得処理によると、ユーザの選択に応じて、第三の他の通信機３３、及び第一の他の通信機３１に関する識別情報が、ＲＡＭ７ｃの識別情報記憶領域に記憶され、通信機３０に自動的に設定される。これにより、通信機３０は、他の通信機３３又は３１宛てに送信するための通信フレームを生成する場合に、以上のように取得した他の通信機３３又は３１に関する識別情報のデータを参照して通信フレームを生成することができる。
【０１１６】
これにより、通信機３０により他の通信機３３又は３１宛てに通信を開始する場合、ユーザの操作により他の通信機３３又は３１に関する識別情報を入力しなくともよく、識別情報の入力という煩雑な操作を解消でき、ユーザによる入力を簡易にできる。
【０１１７】
なお、以上に説明した識別情報取得処理では、通信傍受により取得した他の通信機に関する識別情報をモニタ画面１８ａに表示するにあたり、図７に示すように、送信元に関する識別情報、及び送信先に関する識別情報を表示した。
【０１１８】
通信傍受により取得した他の通信機に関する識別情報をモニタ画面１８ａに表示するにあたり、送信元に関する識別情報のみ表示し、送信先に関する識別情報の表示を省略することもできる。
【０１１９】
少なくとも送信元に関する識別情報をモニタ画面１８ａに表示すると、この送信元となる他の通信機に関する識別情報のデータを、この他の通信機宛ての通信を行う場合の通信フレームの生成において参照できる。従って、通信機３０のユーザにおいて、この送信元に関する識別情報を入力する操作を省略できる。これにより、ユーザの煩雑な操作を解消でき、ユーザによる入力を簡易にできる。
【０１２０】
なお、以上の説明では、通信機が信号を送受信するための信号の変調方式としてＧＭＳＫ変調方式を採用する例により説明した。本発明を実施するにあたり、他の変調方式を採用することもできる。本発明を実施するにあたり、信号の変調方式として、ＱＰＳＫ変調方式やその他の変調方式を採用することもできる。
【０１２１】
また、以上の説明では、パソコン１５より通信機３０に取り込んだデータをデータフレームにより送信する例を挙げた。本発明を実施するにあたり、パソコン以外の他の装置より出力されたディジタルデータを通信機に取り込み、このデータをデータフレームに挿入して送信することもできる。例えば、本発明に係る通信機により、ＧＰＳ（Global Positioning System）のデータを取り込み、このデータをデータフレームに挿入して送信することもできる。
【図面の簡単な説明】
【０１２２】
【図１】本発明の一実施形態の通信機のブロック図である。
【図２】図１に示す通信機が送信する信号の通信フレームを示す図である。
【図３】本発明に係る通信機が通信を行う通信システムの概略構成を示す図である。
【図４】本発明に係る通信機が通信を行う通信システムの概略構成を示す図である。
【図５】図４に示す通信システムにおいて、他の通信機が送信する信号の通信フレームを示す図である。
【図６】識別情報取得処理のフローチャートである。
【図７】通信機のモニタに表示された識別情報の一覧である。
【符号の説明】
【０１２３】
１    アンテナ
２    送受信切替部
３    送信部
４    受信部
５    音声Ａ／Ｄ・Ｄ／Ａ変換部
６    インターフェース部
７    コントローラ
７ａ  ＣＰＵ
７ｂ  ＲＯＭ
７ｃ  ＲＡＭ
８    増幅器
９    マイク
１０    スピーカ
１２    外部入出力端子
１５    データ通信用パソコン
１７    操作部
１８    モニタ
１８ａ  モニタ画面
１８ｂ  第一表示エリア
１８ｃ  第二表示エリア
１８ｄ  第三表示エリア
１８ｇ  識別情報選択オペレータ
３０    通信機
３１    第一の他の通信機
３２    第二の他の通信機
３３    第三の他の通信機
３４    第四の他の通信機
【図１】
2006186883.tif 000003
【図２】
2006186883.tif 000004
【図３】
2006186883.tif 000005
【図４】
2006186883.tif 000006
【図５】
2006186883.tif 000007
【図６】
2006186883.tif 000008
【図７】
2006186883.tif 000009